(57)【要約】【課題】空気調和機に供給される運転変更命令に応答する応答報知が切設定である場合において、端末装置を用いてユーザが外出先などから空気調和機の運転設定を変更したときに、空気調和機が配置される空調空間に別のユーザがいる場合、別のユーザが空気調和機が誤作動したと勘違いするおそれがある。【解決手段】空気調和機の報知制御部（報知手段）は、空気調和機に付属されたリモコンからの運転変更命令に基づく音声応答報知が禁止されている場合、すなわち、受信音報知の設定が切の場合において（Ｓ１）、リモコンと異なる端末装置から運転変更命令が供給される場合には（Ｓ４：Ｙｅｓ）、音声応答報知を行う（Ｓ５）。【選択図】図３
2015075306.tif 000002
【特許請求の範囲】
【請求項１】
空気調和機に供給される運転変更命令に音声で応答する音声応答報知を行う報知手段と、
空気調和機に付属されたリモコンからの運転変更命令に基づく音声応答報知を許可するか否かを設定する設定手段とを備え、
前記報知手段は、
前記設定手段により前記リモコンからの運転変更命令に基づく音声応答報知が禁止されている場合において、前記リモコンと異なる端末装置から運転変更命令が供給される場合には、音声応答報知を行うことを特徴とする空気調和機。
【請求項２】
前記音声応答報知が、空気調和機に供給される運転変更命令に応答してメッセージを報知するメッセージ報知を含み、
前記設定手段が、前記メッセージ報知を許可するか否かを設定可能であり、
前記報知手段は、
前記設定手段により前記メッセージ報知が禁止されている場合において、前記端末装置から運転変更命令が供給される場合には、前記メッセージ報知を行うことを特徴とする請求項１に記載の空気調和機。
【請求項３】
空気調和機に供給される運転変更命令に表示装置での表示により応答する表示応答報知を行う報知手段と、
空気調和機に付属されたリモコンからの運転変更命令に基づく表示応答報知を許可するか否かを設定する設定手段とを備え、
前記報知手段は、
前記設定手段により前記リモコンからの運転変更命令に基づく表示応答報知が禁止されている場合において、前記リモコンと異なる端末装置から運転変更命令が供給される場合には、表示応答報知を行うことを特徴とする空気調和機。
【請求項４】
前記報知手段は、
前記端末装置から供給される運転変更命令が運転開始命令および運転停止命令の少なくとも一方である場合に、応答報知を行うことを特徴とする請求項１−３のいずれかに記載の空気調和機。
【請求項５】
空調空間にいる人を検知する人検知手段を備え、
前記報知手段は、
前記人検知手段で人が検知された場合に、応答報知を行うことを特徴とする請求項１−４のいずれかに記載の空気調和機。
【発明の詳細な説明】
【技術分野】
【０００１】
本発明は、空気調和機に供給される運転変更命令に応答する応答報知を行う報知手段を備える空気調和機に関するものである。
【背景技術】
【０００２】
従来の空気調和機として、例えば空気調和機に付属されたリモコンの操作などによって運転設定が変更された場合に、音声などによって空気調和機に供給される運転変更命令に応答する応答報知を行うものがある。
【０００３】
また、従来の空気調和機として、空気調和機に付属されたリモコンと異なる携帯電話などの端末装置を用いて、外出先などから空気調和機の運転設定を変更できるものがある。
【先行技術文献】
【特許文献】
【０００４】
【特許文献１】特許第４５６１５２３号公報
【特許文献２】特開２００２−２４３２４９号公報
【発明の概要】
【発明が解決しようとする課題】
【０００５】
ところで、特許文献１のような空気調和機では、煩わしさ解消の観点などから、空気調和機に供給される運転変更命令に応答する応答報知を切設定できる手段を設けることが考えられる。しかし、空気調和機に供給される運転変更命令に応答する応答報知が切設定である場合において、端末装置を用いてユーザが外出先などから空気調和機の運転設定を変更したときに、空気調和機が配置される空調空間に別のユーザがいる場合、別のユーザが空気調和機が誤作動したと勘違いするおそれがある。
【０００６】
そこで、本発明の目的は、空気調和機に供給される運転変更命令に応答する応答報知が切設定である場合において、リモコンと異なる端末装置を用いて空気調和機の運転設定が変更されたときに、その変更が空気調和機の誤作動と勘違いされるのを防止できる空気調和機を提供することである。
【課題を解決するための手段】
【０００７】
第１の発明にかかる空気調和機は、空気調和機に供給される運転変更命令に音声で応答する音声応答報知を行う報知手段と、空気調和機に付属されたリモコンからの運転変更命令に基づく音声応答報知を許可するか否かを設定する設定手段とを備え、前記報知手段は、前記設定手段により前記リモコンからの運転変更命令に基づく音声応答報知が禁止されている場合において、前記リモコンと異なる端末装置から運転変更命令が供給される場合には、音声応答報知を行うことを特徴とする。
【０００８】
この空気調和機では、空気調和機に付属されたリモコンからの運転変更命令に基づく音声応答報知が禁止されている場合であっても、リモコンと異なる端末装置から運転変更命令が供給される場合には音声応答報知が行われるので、空調空間にいるユーザは空気調和機の運転設定が端末装置によって変更されたものであることを認識できる。したがって、空気調和機に付属されたリモコンと異なる端末装置を用いて空気調和機の運転設定が変更されたときに、その変更が空気調和機の誤作動と勘違いされるのを防止できる。
【０００９】
第２の発明にかかる空気調和機は、第１の発明にかかる空気調和機において、前記音声応答報知が、空気調和機に供給される運転変更命令に応答してメッセージを報知するメッセージ報知を含み、前記設定手段が、前記メッセージ報知を許可するか否かを設定可能であり、前記報知手段は、前記設定手段により前記メッセージ報知が禁止されている場合において、前記端末装置から運転変更命令が供給される場合には、前記メッセージ報知を行うことを特徴とする。
【００１０】
この空気調和機では、音声応答報知がメッセージ報知を含んでおり、メッセージ報知が禁止されている場合であっても、リモコンと異なる端末装置から運転変更命令が供給される場合には、メッセージ報知が行われるので、空調空間にいるユーザが空気調和機の運転設定が端末装置によって変更されたものであることを認識しやすい。
【００１１】
第３の発明にかかる空気調和機は、空気調和機に供給される運転変更命令に表示装置での表示により応答する表示応答報知を行う報知手段と、空気調和機に付属されたリモコンからの運転変更命令に基づく表示応答報知を許可するか否かを設定する設定手段とを備え、前記報知手段は、前記設定手段により前記リモコンからの運転変更命令に基づく表示応答報知が禁止されている場合において、前記リモコンと異なる端末装置から運転変更命令が供給される場合には、表示応答報知を行うことを特徴とする。
【００１２】
この空気調和機では、空気調和機に付属されたリモコンからの運転変更命令に基づく表示応答報知が禁止されている場合であっても、リモコンと異なる端末装置から運転変更命令が供給される場合には表示応答報知が行われるので、空調空間にいるユーザは空気調和機の運転設定が端末装置によって変更されたものであることを認識できる。したがって、空気調和機に付属されたリモコンと異なる端末装置を用いて空気調和機の運転設定が変更されたときに、その変更が空気調和機の誤作動と勘違いされるのを防止できる。
【００１３】
第４の発明にかかる空気調和機は、第１−第３のいずれかの発明にかかる空気調和機において、前記報知手段は、前記端末装置から供給される運転変更命令が運転開始命令および運転停止命令の少なくとも一方である場合に、応答報知を行うことを特徴とする。
【００１４】
この空気調和機では、端末装置から運転開始命令および運転停止命令の少なくとも一方が供給された場合に応答報知が行われるので、空調空間にいるユーザが特に誤作動と勘違いしやすい運転開始動作や運転停止動作が、端末装置によって操作されたものと認識できる。
【００１５】
第５の発明にかかる空気調和機は、第１−第４のいずれかの発明にかかる空気調和機において、空調空間にいる人を検知する人検知手段を備え、前記報知手段は、前記人検知手段で人が検知された場合に、応答報知を行うことを特徴とする。
【００１６】
この空気調和機では、ユーザが空調空間にいない場合に、応答報知が行われるのを防止できるので、省エネできる。
【発明の効果】
【００１７】
以上の説明に述べたように、本発明によれば、以下の効果が得られる。
【００１８】
第１の発明では、空気調和機に付属されたリモコンからの運転変更命令に基づく音声応答報知が禁止されている場合であっても、リモコンと異なる端末装置から運転変更命令が供給される場合には音声応答報知が行われるので、空調空間にいるユーザは空気調和機の運転設定が端末装置によって変更されたものであることを認識できる。したがって、空気調和機に付属されたリモコンと異なる端末装置を用いて空気調和機の運転設定が変更されたときに、その変更が空気調和機の誤作動と勘違いされるのを防止できる。
【００１９】
第２の発明では、音声応答報知がメッセージ報知を含んでおり、メッセージ報知が禁止されている場合であっても、リモコンと異なる端末装置から運転変更命令が供給される場合にはメッセージ報知が行われるので、空調空間にいるユーザが空気調和機の運転設定が端末装置によって変更されたものであることを認識しやすい。
【００２０】
第３の発明では、空気調和機に付属されたリモコンからの運転変更命令に基づく表示応答報知が禁止されている場合であっても、リモコンと異なる端末装置から運転変更命令が供給される場合には表示応答報知が行われるので、空調空間にいるユーザは空気調和機の運転設定が端末装置によって変更されたものであることを認識できる。したがって、空気調和機に付属されたリモコンと異なる端末装置を用いて空気調和機の運転設定が変更されたときに、その変更が空気調和機の誤作動と勘違いされるのを防止できる。
【００２１】
第４の発明では、端末装置から運転開始命令および運転停止命令の少なくとも一方が供給された場合に応答報知が行われるので、空調空間にいるユーザが特に誤作動と勘違いしやすい運転開始動作や運転停止動作が、端末装置によって操作されたものと認識できる。
【００２２】
第５の発明では、ユーザが空調空間にいない場合に、応答報知が行われるのを防止できるので、省エネできる。
【図面の簡単な説明】
【００２３】
【図１】本発明の実施形態にかかる空気調和機の冷媒回路を示す回路図である。
【図２】図１に示す空気調和機のブロック図である。
【図３】図１に示す空気調和機の動作を示すフローチャートである。
【発明を実施するための形態】
【００２４】
以下、本発明の実施形態に係る空気調和機１について説明する。
【００２５】
＜空気調和機の全体構成＞
図１に示すように、本実施形態の空気調和機１は、室内に設置される室内機２と、室外に設置される室外機３とを備えている。そして、空気調和機１は、圧縮機１０と、四方弁１１と、室外熱交換器１２と、膨張弁（減圧機構）１３と、室内熱交換器１４とを接続した冷媒回路を備えている。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。
【００２６】
空気調和機１は、自動運転、冷房運転、暖房運転、除湿運転及び送風運転のいずれかの運転が可能であって、空気調和機１に付属されたリモコン４や、ユーザの端末装置５によって、いずれかの運転を選択して運転開始操作を行ったり、運転切換操作や運転停止操作を行ったりすることができる。ユーザの端末装置５は、例えばスマートフォンなどの液晶端末であって、ネットワークを介して、空気調和機１に対して運転変更命令（運転開始操作、運転停止操作、室内温度の設定温度等）を供給することができる。
【００２７】
冷房運転および除湿運転では、図示実線矢印で示すように、圧縮機１０から吐出された冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００２８】
一方、暖房運転では、四方弁１１が切換わることにより、図示破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００２９】
室内機２内には、室内熱交換器１４に対向した室内ファン１６が配置される。室内機２の吹出口には、上下方向について吹き出し方向を変更する上下フラップが配置される。そして、室内機２には、図１に示すように、例えば所定情報を音声で報知するスピーカー２０と、例えばＬＥＤ素子を有する表示部２１（表示装置）と、室内（空気調和機１が配置される空調空間）にいる人を検知する人検知センサ２５（人検知手段）とが設けられている。
【００３０】
図２に示すように、空気調和機１の制御部３０には、スピーカー２０と、表示部２１と、人検知センサ２５と、空気調和機１に付属されたリモコン４とが接続される。また、空気調和機１の制御部３０は、ユーザの端末装置５から供給された運転変更命令に基づいて、空気調和機１の運転を変更する。ユーザの端末装置５は、例えばスマートフォンなどの液晶端末であって、ネットワークを介して、空気調和機１に対して運転変更命令（運転開始操作、運転停止操作、室内温度の設定温度等）を供給することができる。したがって、制御部３０は、リモコン４やユーザの端末装置５からの指令（運転開始操作、運転停止操作、室内温度の設定温度等）に基づいて、空気調和機１の運転を制御する。このように、本実施形態の空気調和機１は、リモコン４から供給される運転変更命令（運転開始操作、運転停止操作、室内温度の設定温度等）に基づいて運転状態が変更されるだけでなく、ユーザの端末装置５から供給される運転変更命令（運転開始操作、運転停止操作、室内温度の設定温度等）に基づいて運転状態が変更されるものである。
【００３１】
ここで、リモコン４には、空気調和機１が有する各機能の設定を変更する設定操作部６（設定手段）が設けられている。
【００３２】
ユーザは、この設定操作部６を操作することによって、リモコン４から供給される運転変更命令（運転開始操作、運転停止操作、室内温度の設定温度等）に応答する応答報知を許可するか否かを選択できる。この応答報知は、音声応答報知と表示応答報知とに分かれる。音声応答報知には、例えばリモコン４から供給される運転変更命令の内容をメッセージで報知するメッセージ報知と、リモコン４から供給される運転変更命令に応答して、「ピッ」等の受信音を報知する受信音報知とが含まれる。メッセージ報知（音声応答報知）では、例えばリモコン４からの運転開始命令が供給される場合、運転開始命令に応答して、「運転が開始されました。」というメッセージがスピーカー２０から報知される。また、表示応答報知は、リモコン４から供給される運転変更命令に応答して、表示部２１（表示装置）のＬＥＤ素子を点灯させるものである。ユーザは、リモコン４の設定操作部６を操作することによって、メッセージ報知、受信音報知、および表示応答報知のそれぞれの設定を個別に許可するか否か（入／切）を選択できる。よって、ユーザが、メッセージ報知、受信音報知、および表示応答報知が煩わしいと感じる場合には、メッセージ報知、受信音報知、および表示応答報知の設定をそれぞれ切とできる。なお、この空気調和機１では、メッセージ報知の設定が入でも受信音報知の設定が切である場合には、受信音報知およびメッセージ報知が禁止され、リモコン４から運転変更命令が供給されても、受信音報知およびメッセージ報知が行われない。
【００３３】
空気調和機１の制御部３０は、ＣＰＵ、ＲＯＭ、ＲＡＭなどの複数のハードウェアから構成されている。ＲＯＭには、制御部３０の動作を制御する制御プログラムなどが格納されている。そして、この制御部３０は、図２に示すように、報知制御部３１（報知手段）を有する。
【００３４】
この報知制御部３１（報知手段）は、音声報知制御部３２（音声報知手段）と、表示報知制御部３３とを有する。音声報知制御部３２では、例えば空気調和機１に供給される運転変更命令の内容をメッセージで報知するメッセージ報知と、空気調和機１に供給される運転変更命令に応答して、「ピッ」等の受信音を報知する受信音報知とを行うことが可能である。また、表示報知制御部３３では、空気調和機１に供給される運転変更命令に応答して表示部２１のＬＥＤ素子を点灯させる表示応答報知を行うことが可能である。まず、音声報知制御部３２について詳しく説明する。
【００３５】
音声報知制御部３２は、スピーカー２０を介して受信音やメッセージを報知する。この音声報知制御部３２は、受信音報知およびメッセージ報知の設定がそれぞれ入の場合において、リモコン４から運転変更命令（運転開始操作、運転停止操作、室内温度の設定温度等）が供給されると、その運転変更命令に応答して、例えば「ピッ」、「ピピッ」などの受信音（第２受信音）を報知する。そして、受信音（第２受信音）を報知したあとで、リモコン４から供給される運転変更命令の内容をメッセージで報知する。例えば、リモコン４から運転開始命令が供給された場合、音声報知制御部３２は、「ピッ」という受信音（第２受信音）を報知したあとで、「運転が開始されました。」というメッセージを報知する。
【００３６】
一方、受信音報知の設定が入で且つメッセージ報知の設定が切の場合には、リモコン４から運転変更命令が供給されても、メッセージは報知されず、受信音（第２受信音）だけが報知される。また、受信音報知の設定が切の場合には、メッセージ報知の設定が入または切にかかわらず、リモコン４から運転変更命令が供給されても、受信音（第２受信音）およびメッセージは報知されない。
【００３７】
一方、音声報知制御部３２は、端末装置５から運転変更命令（運転開始操作、運転停止操作、室内温度の設定温度等）が供給されると、その運転変更命令に応答して、例えば「ピッ」、「ピピッ」などの受信音（第１受信音）を報知する。そして、受信音（第１受信音）を報知したあとで、端末装置５から運転変更命令が供給されたことをメッセージで報知するメッセージ報知を行う。端末装置５から運転変更命令が供給されたことを報知するメッセージとは、例えば「スマートフォンから操作されました。」というメッセージである。
【００３８】
特に、端末装置５からの運転変更命令が運転開始命令または運転停止命令である場合には、音声報知制御部３２は、その運転変更命令に応答して、例えば「ピッ」、「ピピッ」などの受信音（第１受信音）を報知したあとで、メッセージ報知として、端末装置５から運転変更命令が供給されたこと、およびその運転変更命令の内容を報知する。例えば、端末装置５から運転開始命令が供給された場合、音声報知制御部３２は、「ピッ」という受信音（第１受信音）を報知したあとで、「スマートフォンから操作されました。運転を開始します。」というメッセージを報知する。ここで、「スマートフォンから操作されました。」というメッセージが、端末装置５から運転変更命令が供給されたことを示すメッセージであり、「運転を開始します。」というメッセージが運転変更命令の内容を示すメッセージである。したがって、端末装置５からの運転変更命令が運転開始命令または運転停止命令である場合には、メッセージには、端末装置５から供給される運転変更命令の内容が含まれる。なお、端末装置５からの運転変更命令が運転開始命令および運転停止命令以外の命令（室内温度の設定温度、室内温度の設定湿度、風向、風量、冷房運転や暖房運転などの運転モードの変更等）である場合、音声報知制御部３２は、受信音（第１受信音）を報知したあとで、端末装置５から運転変更命令が供給されたことをメッセージで報知するが、その運転変更命令の内容までは報知しない。例えば、端末装置５から室内温度の設定温度変更命令が供給された場合、音声報知制御部３２は、「ピッ」という受信音（第１受信音）を報知したあとで、「スマートフォンから操作されました。」というメッセージのみを報知する。
【００３９】
なお、端末装置５から供給される運転変更命令に応答して報知される受信音（第１受信音）と、リモコン４から供給される運転変更命令に応答して報知される受信音（第２受信音）は同じである。また、音声報知制御部３２は、端末装置５から供給される全ての運転変更命令に応答して受信音報知およびメッセージ報知を行う。
【００４０】
表示報知制御部３３は、表示応答報知の設定が入の場合において、リモコン４から運転変更命令（運転開始操作、運転停止操作、室内温度の設定温度等）が供給されると、その運転変更命令に応答して、例えば所定時間ほど表示部２１のＬＥＤ素子を点灯させる表示応答報知を行う。一方、表示報知制御部３３は、表示応答報知の設定が切の場合には、リモコン４から運転変更命令が供給されても、表示部２１のＬＥＤ素子の点灯を行わない。なお、表示部２１のＬＥＤ素子の点灯には、表示部２１のＬＥＤ素子を点滅させることを含む。
【００４１】
また、表示報知制御部３３は、端末装置５から運転変更命令（運転開始操作、運転停止操作、室内温度の設定温度等）が供給されると、その運転変更命令に応答して、例えば所定時間ほど表示部２１のＬＥＤ素子を点灯させる表示応答報知を行う。なお、端末装置５から供給される運転変更命令に応答して行われる表示応答報知と、リモコン４から供給される運転変更命令に応答して行われる表示応答報知は、点灯時間、点滅回数などの全てが同じである。また、表示報知制御部３３は、端末装置５から供給される全ての運転変更命令に応答して表示応答報知を行う。
【００４２】
ここで、音声報知制御部３２は、リモコン４からの運転変更命令に基づくメッセージ報知が禁止されている場合において、端末装置５から運転変更命令が供給される場合には、メッセージ報知を行う。すなわち、リモコン４からの運転変更命令に基づくメッセージ報知が禁止されている場合であっても、端末装置５からの運転変更命令が運転開始命令または運転停止命令である場合には、端末装置５から運転変更命令が供給されたこと、およびその運転変更命令の内容をメッセージで報知する。また、リモコン４からの運転変更命令に基づくメッセージ報知が禁止されている場合であっても、端末装置５からの運転変更命令が運転開始命令および運転停止命令以外の命令である場合には、端末装置５から運転変更命令が供給されたことをメッセージで報知する。なお、リモコン４からの運転変更命令に基づくメッセージ報知が禁止されている場合とは、受信音報知の設定が切またはメッセージ報知の設定が切の場合である。
【００４３】
また、音声報知制御部３２は、リモコン４からの運転変更命令に基づく受信音報知が禁止されている場合（受信音報知の設定が切の場合）において、リモコン４と異なる端末装置５から運転変更命令が供給される場合には、受信音（第１受信音）を報知する受信音報知を行う。また、表示報知制御部３３は、リモコン４からの運転変更命令に基づく表示応答報知が禁止されている場合（表示応答報知の設定が切の場合）において、リモコン４と異なる端末装置５から運転変更命令が供給される場合には、表示部２１のＬＥＤ素子を点灯する表示応答報知を行う。
【００４４】
したがって、この空気調和機では、例えばリモコン４からの運転変更命令に基づくメッセージ報知が禁止されている場合において、端末装置５から運転変更命令が供給される場合には、端末装置５から運転変更命令が供給されたことがメッセージとして報知されるので、ユーザが端末装置５を用いて例えば外出先などから空気調和機１の運転設定を変更したときに、室内に別のユーザがいる場合でも、別のユーザは空気調和機１の運転設定が端末装置５によって変更されたものであると把握しやすい。また、この空気調和機では、例えばリモコン４からの運転変更命令に基づく表示応答報知が禁止されている場合において、端末装置５から運転変更命令が供給される場合には、表示応答報知が行われるので、ユーザが端末装置５を用いて例えば外出先などから空気調和機１の運転設定を変更したときに、室内に別のユーザがいる場合でも、別のユーザは空気調和機１の運転設定が端末装置５によって変更されたものであると把握しやすい。なお、本実施形態において、リモコン４からの運転変更命令に基づく音声応答報知が禁止されている場合とは、リモコン４からの運転変更命令に基づく受信音報知およびメッセージ報知が禁止されている場合を指す。
【００４５】
＜フロー＞
次に、図３を参照して空気調和機１の動作（フロー）について説明する。なお、このフローは、音声応答報知および表示応答報知のうち音声応答報知の動作のみを考えたときのフローである。
【００４６】
まず、ユーザがリモコン４の設定操作部６を操作することによって、受信音報知の設定が切にされたとする（Ｓ１）。したがって、この空気調和機１では、リモコン４からの運転変更命令に基づく音声応答報知（受信音報知およびメッセージ報知）が禁止されている。
【００４７】
次に、空気調和機１に運転変更命令が供給されたか否かを判断し、運転変更命令が供給されるまでそれを繰り返す（Ｓ２）。運転変更命令が供給された場合（Ｓ２：Ｙｅｓ）、その運転変更命令がリモコン４から供給されたものであるか否かを判断する（Ｓ３）。運転変更命令がリモコン４から供給されたものである場合（Ｓ３：Ｙｅｓ）、音声報知制御部３２は、音声応答報知を行わない（Ｓ６）。一方、運転変更命令がリモコン４から供給されたものでない場合（Ｓ３：Ｎｏ）、その運転変更命令が端末装置５から供給されたものであるか否かを判断する（Ｓ４）。運転変更命令が端末装置５から供給されたものである場合（Ｓ４：Ｙｅｓ）、音声応答報知を行う（Ｓ５）。一方、端末装置５から供給されたものでない場合（Ｓ４：Ｎｏ）、ステップＳ２に戻る。なお、ステップＳ５、Ｓ６の後は、ステップＳ１に戻る。
【００４８】
＜本実施形態の空気調和機の特徴＞
本実施形態の空気調和機１には、以下の特徴がある。
【００４９】
本実施形態の空気調和機１では、空気調和機１に付属されたリモコン４からの運転変更命令に基づく音声応答報知（受信音報知およびメッセージ報知）が禁止されている場合であっても、リモコン４と異なる端末装置５から運転変更命令が供給される場合には音声応答報知（受信音報知およびメッセージ報知）が行われるので、室内（空気調和機１が配置される空調空間）にいるユーザは空気調和機１の運転設定が端末装置５によって変更されたものであることを認識できる。したがって、空気調和機１に付属されたリモコン４と異なる端末装置５を用いて空気調和機１の運転設定が変更されたときに、その変更が空気調和機１の誤作動と勘違いされるのを防止できる。
【００５０】
また、本実施形態の空気調和機１では、音声応答報知がメッセージ報知を含んでおり、リモコン４からの運転変更命令に基づくメッセージ報知が禁止されている場合であっても、リモコン４と異なる端末装置５から運転変更命令が供給される場合には、端末装置５から運転変更命令が供給されたことを報知するメッセージ報知が行われるので、室内にいるユーザが空気調和機１の運転設定が端末装置５によって変更されたものであることを認識しやすい。
【００５１】
また、本実施形態の空気調和機１では、空気調和機１に付属されたリモコン４からの運転変更命令に基づく表示応答報知が禁止されている場合であっても、リモコン４と異なる端末装置５から運転変更命令が供給される場合には表示応答報知が行われるので、室内（空気調和機１が配置される空調空間）にいるユーザは空気調和機１の運転設定が端末装置５によって変更されたものであることを認識できる。したがって、空気調和機１に付属されたリモコン４と異なる端末装置５を用いて空気調和機１の運転設定が変更されたときに、その変更が空気調和機１の誤作動と勘違いされるのを防止できる。
【００５２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５３】
［第１変形例］
次に、第１変形例にかかる空気調和機について説明する。上記実施形態では、リモコン４からの運転変更命令に基づくメッセージ報知が禁止されている場合であっても、端末装置５から運転変更命令が供給される場合には、全ての運転変更命令に応答してメッセージを報知するが、第１変形例にかかる空気調和機では、端末装置５から供給される運転変更命令が運転開始命令または運転停止命令である場合にメッセージを報知し、その他の運転変更命令（室内温度の設定温度、室内温度の設定湿度、風向、風量、冷房運転や暖房運転などの運転モードの変更等）の場合には、メッセージを報知しない。
【００５４】
第１変形例にかかる空気調和機では、端末装置５から供給される運転変更命令が運転開始命令または運転停止命令である場合にのみメッセージが報知されるので、室内にいる別のユーザが特に誤作動と勘違いしやすい運転開始動作または運転停止動作が、端末装置５によって操作されたものと認識できる。また、室内にいるユーザが誤作動と勘違いしにくい、その他の運転変更命令（室内温度の設定温度、室内温度の設定湿度、風向、風量、冷房運転や暖房運転などの運転モードの変更等）が供給されたときに、メッセージ報知がされる煩わしさを解消できる。
【００５５】
［第２変形例］
次に、第２変形例にかかる空気調和機について説明する。上記実施形態では、リモコン４からの運転変更命令に基づく音声応答報知（受信音報知、メッセージ報知）、または表示応答報知が禁止されている場合であっても、端末装置５から運転変更命令が供給された場合には、室内（空気調和機１が配置される空調空間）に人がいるか否かにかかわらず、音声応答報知や表示応答報知を報知するが、第２変形例にかかる空気調和機では、人検知センサ２５で人が検知される場合に、端末装置５から供給される運転変更命令に応答して音声応答報知や表示応答報知を報知し、人検知センサ２５で人が検知されない場合には、端末装置５から供給される運転変更命令に応答して音声応答報知や表示応答報知を報知しない。
【００５６】
第２変形例にかかる空気調和機では、ユーザが空調空間にいない場合に、応答報知が行われるのを防止できるので、省エネできる。
【００５７】
［その他変形例］
上記実施形態では、例えば空気調和機１に付属されたリモコン４からの運転変更命令に基づく音声応答報知および表示応答表示が禁止されている場合であっても、リモコン４と異なる端末装置５から運転変更命令が供給される場合には音声応答報知および表示応答表示の両方が行われるが、音声応答報知だけが行われてもよいし、表示応答報知だけが行われてもよい。
【００５８】
また、上記実施形態では、空気調和機１に付属されたリモコン４からの運転変更命令に基づく音声応答報知（受信音報知およびメッセージ報知）が禁止されている場合であっても、リモコン４と異なる端末装置５から運転変更命令が供給される場合には音声応答報知として受信音報知およびメッセージ報知の両方が行われるが、メッセージ報知だけが行われてもよいし、受信音報知だけが行われてもよい。
【００５９】
また、上記実施形態では、リモコン４からの運転変更命令に基づく音声応答報知が禁止されている場合とは、リモコン４からの運転変更命令に基づく受信音報知およびメッセージ報知が禁止されている場合を指すが、リモコン４からの運転変更命令に基づく音声応答報知が禁止されている場合とは、リモコン４からの運転変更命令に基づく受信音報知だけが禁止されている場合や、リモコン４からの運転変更命令に基づくメッセージ報知だけが禁止されている場合も含んでよい。したがって、本発明は、例えばリモコン４からの運転変更命令に基づく受信音報知が禁止されていて、且つリモコン４からの運転変更命令に基づくメッセージ報知が許可されている場合において、端末装置５から運転変更命令が供給された場合に、受信音報知およびメッセージ報知がされることを含む。また、本発明は、例えばリモコン４からの運転変更命令に基づくメッセージ報知が禁止されていて、且つリモコン４からの運転変更命令に基づく受信音報知が許可されている場合において、端末装置５から運転変更命令が供給された場合に、受信音報知およびメッセージ報知がされることも含む。
【００６０】
また、上記実施形態では、音声応答報知の例として、受信音報知とメッセージ報知の２つを含む場合を挙げたが、音声応答報知は、受信音報知およびメッセージ報知のいずれかであってもよいし、その他の音声報知を含んでいてもよいし、その他の音声報知だけであってもよい。
【００６１】
また、上記実施形態では、リモコン４からの運転変更命令に基づくメッセージ報知が禁止されている場合であっても、リモコン４と異なる端末装置５から運転変更命令が供給される場合には、端末装置５から運転変更命令が供給されたことを報知するメッセージ報知が行われるが、このメッセージ報知の内容に、端末装置５から運転変更命令が供給されたことが含まれていなくてもよい。
【００６２】
また、上記実施形態では、リモコン４と異なる端末装置５として、ネットワークを介して空気調和機１に運転変更命令を供給できるものを挙げたが、ネットワークを介さずに空気調和機１に運転変更命令を供給できるものでもよい。
【産業上の利用可能性】
【００６３】
本発明を利用すれば、空気調和機に供給される運転変更命令に応答する応答報知が切設定である場合において、リモコンと異なる端末装置を用いて空気調和機の運転設定が変更されたときに、その変更が空気調和機の誤作動と勘違いされるのを防止できる。
【符号の説明】
【００６４】
１  空気調和機
４  リモコン
５  端末装置
６  設定操作部（設定手段）
２１  表示部（表示装置）
２５  人検知センサ（人検知手段）
３１  報知制御部（報知手段）
【図１】
2015075306.tif 000003
【図２】
2015075306.tif 000004
【図３】
2015075306.tif 000005